(57)【特許請求の範囲】
【請求項１】
電子装置本体に電子機器ユニットを取付けるための電子機器ユニット取付構造であって、
前記ユニットを載置する載置面と、前記ユニットの一側面と当接する当接面とを有し、前記装置本体に固定して設けられたベースシャーシと、
前記ベースシャーシの載置面下部に設けられたガイドレールに沿って摺動自在であり、前記ユニットの他側面と当接する弾性部材と、前記ベースシャーシに設けられた係合孔と係合する凸部とを有するスライドブラケットとを含み、
前記ユニットを前記載置面に載置して、前記スライドブラケットを、前記凸部が前記係合孔と係合するまで、前記ガイドレールに沿って摺動させ、前記当接面と前記弾性部材とにより前記ユニットを挟止するようにしたことを特徴とする電子機器ユニット取付構造。
【請求項２】
前記ベースシャーシの当接面にはガイドピンが設けられており、前記ユニットの一側面に設けられている孔部に前記ガイドピンが挿入されるようになっていることを特徴とする請求項１記載の電子機器ユニット取付構造。
【請求項３】
前記スライドブラケットの弾性部材の取付け面にはガイドピンが設けられており、前記ユニットの他側面に設けられている孔部に前記ガイドピンが挿入されるようになっていることを特徴とする請求項１または２記載の電子機器ユニット取付構造。
【請求項４】
前記スライドブラケットの弾性部材の取付け面側には弾性部材からなるハンドル部材が設けられており、このハンドル部材に前記凸部が設けられていることを特徴とする請求項１〜３いずれか記載の電子機器ユニット取付構造。
【請求項５】
前記ベースシャーシと前記スライドブラケットとがスプリングバネにより相互に連結されており、このスプリングバネの付勢力により前記当接面と前記弾性部材とによる前記ユニットの挟止状態を維持するようにしたことを特徴とする請求項１〜４いずれか記載の電子機器ユニット取付構造。
【請求項６】
前記ユニットはディスクドライブであることを特徴とする請求項１〜５いずれか記載の電子機器ユニット取付構造。
【発明の詳細な説明】
【０００１】
【発明の属する技術分野】
本発明は電子機器ユニット取付構造に関し、特に情報処理装置等の電子装置本体にディスクドライブ等の電子機器ユニットを取付けるためのユニット取付構造に関するものである。
【０００２】
【従来の技術】
情報処理装置において、ディスクドライブを装置本体内部へ実装する場合、通常、ディスクドライブの両面側、または底面に設けられているネジ孔を利用し、ディスクドライブは装置本体のシャーシ部分に、直接ネジを用いて固定する方法が広く採用されている。また、他の方法としては、予めブラケット等を準備しておき、このブラケットにディスクドライブを固定しておき、しかる後に装置本体のシャーシ部分に、このブラケットをネジ止めして実装する方法もある。
【０００３】
【発明が解決しようとする課題】
しかしながら、上述したいずれの方法においても、ネジを用いてディスクドライブを固定するものであるため、ネジを回すための作業用空間が必らず必要となると共に、保守やユニットの交換時には、ネジの取外しや取付けの作業が必要となって、組立工数や交換、保守の工数を減少させることができないという欠点がある。また、ネジの取付けや取はずしのためのドライバ等の工具も必要となるという欠点がある。
【０００４】
そこで、本発明はこの様な従来技術の欠点を解消すべく、なされたものであって、その目的とするところは、ユニットの実装や交換時にドライバ等の工具を使用することなく、また作業のための空間を特別に設ける必要のない電子機器ユニット取付構造を提供することにある。
【０００５】
本発明の他の目的は、ユニット実装のための組立工数や交換、保守作業工数を著しく減少可能な電子機器ユニット取付構造を提供することである。
【０００６】
【課題を解決するための手段】
本発明によれば、電子装置本体に電子機器ユニットを取付けるための電子機器ユニット取付構造であって、
前記ユニットを載置する載置面と、前記ユニットの一側面と当接する当接面とを有し、前記装置本体に固定して設けられたベースシャーシと、
前記ベースシャーシの載置面下部に設けられたガイドレールに沿って摺動自在であり、前記ユニットの他側面と当接する弾性部材と、前記ベースシャーシに設けられた係合孔と係合する凸部とを有するスライドブラケットとを含み、
前記ユニットを前記載置面に載置して、前記スライドブラケットを、前記凸部が前記係合孔と係合するまで、前記ガイドレールに沿って摺動させ、前記当接面と前記弾性部材とにより前記ユニットを挟止するようにしたことを特徴とする電子機器ユニット取付構造が得られる。
【０００７】
そして、前記ベースシャーシの当接面にはガイドピンが設けられており、前記ユニットの一側面に設けられている孔部に前記ガイドピンが挿入されるようになっていることを特徴とするし、また前記スライドブラケットの弾性部材の取付け面にはガイドピンが設けられており、前記ユニットの他側面に設けられている孔部に前記ガイドピンが挿入されるようになっていることを特徴とする。
【０００８】
更に、前記スライドブラケットの弾性部材の取付け面側には弾性部材からなるハンドル部材が設けられており、このハンドル部材に前記凸部が設けられていることを特徴とし、また前記ベースシャーシと前記スライドブラケットとがスプリングバネにより相互に連結されており、このスプリングバネの付勢力により前記当接面と前記弾性部材とによる前記ユニットの挟止状態を維持するようにしたことを特徴とする。
【０００９】
本発明の作用を述べる。ユニットの一側面と当接する当接面を有するベースシャーシにユニットを載置し、このベースシャーシの下部に設けられたガイドレールに沿ってスライドブラケットを摺動させる。このとき、スライドブラケットに設けられている凸部とベースシャーシに設けられている係合孔とが係合するまで摺動させる。この係合が完了したとき、スライドブラケットに設けられている弾性部材がユニットの他側面と当接し、この弾性部材とベースシャーシの当接面とによってユニットを挟止するようにする。更に、ベースシャーシの当接面に設けられたガイドピンが、ユニットの一側面に設けられた孔に挿入され、またスライドブラケットの弾性部材取付面に設けられたガイドピンが、ユニットの他側面に設けられた孔に挿入されて、ユニットの取付けがより強固になる。
【００１０】
この様な構造により、ユニットをベースシャーシに載置しておき、スライドブラケットをベースシャーシのガイドレールに沿って摺動させるのみの簡単な作業により、ユニットの装置本体への取付けが行えることになる。また、スライドブラケットの凸部を、前面のハンドル部分に設け、このハンドル部分を弾性材により構成することで、ユニットの取外しも容易となり、ユニットの保守、交換作業が極めて簡単に行えることになる。
【００１１】
【発明の実施の形態】
以下に、図面を用いて本発明の実施の形態について説明する。図１は本発明の実施の形態の分解斜視図であり、図２はユニット実装後のユニット取付構造の断面図である。なお、両図において同等部分は同一の符号によって示されている。
【００１２】
本実施の形態のユニット取付構造は、基本的に、ベースシャーシ２とスライドブラケット４とからなり、１は電子装置本体（図示せず）に実装される電子機器ユニットであって、例えばディスクドライブユニットである。ベースシャーシ２は装置本体にネジ等で予め固定されており、またユニット１を載置する載置面を有しており、この載置面に垂直に垂直板２１が設けてられている。この垂直板２１はユニット１の一側面と当接するものであるから、以後当接面２１と呼ぶことにする。
【００１３】
このベースシャーシ２には、更に、ユニット載置面の下側に２本の並行なガイドレール３ａ，３ｂが設けられており、スライドブラケット４はこの２本のガイドレール３ａ，３ｂの間に沿って摺動自在となっているもとする。このガイドレールに沿ってスライドブラケット４が摺動し、ユニット１の一側面が当接面２１に当接したとき、スライドブラケット４の凸部８が係合するシャーシ２の位置には、係合孔部７が設けられている。また、当接面２１にはガイドピン５ａ〜５ｃが設けられ、ユニット１の一側面に設けられている孔１１ａ〜１１ｃに挿入自在となっている。
【００１４】
スライドブラケット４の前方には、スライド板（ベースシャーシ２のユニット載置面と平行な面を有する板）に垂直な垂直部材４１ａ，４１ｂが設けられており、これ等垂直部材４１ａ，４１ｂには弾性バネ部６ａ，６ｂが取付けられている。この弾性バネ部６ａ，６ｂはユニット１の他側面に当接してこの面を押圧付勢するためのものである。更に、スライドブラケット４の前方には、ハンドル部１０が設けられており、このハンドル部には、前述した凸部８が設けられている。更に、垂直部材（弾性バネ取付部材）４１ａ，４１ｂには、ガイドピン６ａ，６ｂが設けられており、ユニット１の他側面に設けられている孔１２ａ，１２ｂに挿入自在である。
【００１５】
このユニット１を装置本体内部へ実装する場合、ユニット１をベースシャーシ２の載置面上に載置し、その後、スライドブラケット４をベースシャーシ２の下部に設けてあるガイドレール３ａ，３ｂに沿ってスライドさせる。スライドブラケット４のハンドル部１０に設けられている凸部８がベースシャーシ２に当ると、弾性部材からなるハンドル部１０の弾性変形によって、ベースシャーシ２の下側へ凸部８が入り込み、係合孔部７に凸部８が係合されて係止されることになる。
【００１６】
このとき、ユニット１の一側面とベースシャーシ２の当接面２１とが当接して、ガイドピン５ａ〜５ｃが孔１１ａ〜１１ｃへ挿入される。また、弾性バネ部９ａ，９ｂはユニット１の他側面を押えて弾性変形するために、ユニット１はこの弾性バネ９ａ，９ｂと当接面２１とにより挟止されてユニットのがたつきが防止されることになる。更に、ガイドピン６ａ，６ｂが孔１２ａ，１２ｂに挿入される。
【００１７】
こうすることにより、ユニット１を装置本体内部に実装する場合、何等工具等を必要とせず、極めて容易に作業が行えることになる。また、装置本体からユニット１を取外す場合にも、ハンドル部１０を下方に押し下げることにより凸部８が係合孔部７からはずれて、これまた容易に取外しできるのである。更に、ユニット１の幅寸法がユニット毎に多少異なっていたとしても、スライドブラケット４に設けられている弾性バネ部９ａ，９ｂが弾性変形するようになっているために、ユニット実装後のがたつきを防止することができる。
【００１８】
ベースシャーシ２とスライドブラケット４とをスプリングバネ（図示せず）で相互に連結して、ユニット１を取付けた状態において、このスプリングバネの付勢力によって、常に両者が引き合う様にしておけば、ユニットの固定がより強固となり、振動に対しても強くなる。また、プラスチックや板金を用いて実現可能な構造であり、そのために、弾性バネ部９ａ，９ｂと合まって、ユニット１の幅寸法の微妙な変化にも十分対応可能となる。
【００１９】
上述の実施の形態において、凸部８と係合孔部７とを一対設けているが、複数対でも良く、また、ガイドピンと孔との数も図示の例に限定されるものではない。また、ユニットとしてディスクドライブを想定しているが、一般に電子機器ユニットに広く適用できることは勿論である。
【００２０】
【発明の効果】
以上述べた如く、本発明によれば、ネジや工具を用いることなくユニットを装置本体内部に実装でき、組立工数や保守、交換作業工数を大幅に削減できるという効果がある。その理由は、ユニットをその両側から挟み込む構造とし、その挟み込む構造の他に、ユニットの孔部に挿入されるガイドピンを設け、更に、挟み込む両部品（シャーシとブラケット）同士のロック機構を設けたためである。
【００２１】
また、本発明によれば、ユニットの幅寸法が微妙に異なることがあっても、がたつくことなく固定できるという効果がある。その理由は、プラスチックや板金の弾性変形を用いて、ユニットの幅寸法のばらつきを吸収可能としたためである。
【図面の簡単な説明】
【図１】本発明の実施の形態を示す分解斜視図である。
【図２】本発明の実施の形態におけるユニット実装後の断面図である。
【符号の説明】
１                ディスクドライブユニット
２                ベースシャーシ
３ａ，３ｂ        ガイドレール
４                スライドブラケット
５ａ〜５ｃ
６ａ，６ｂ        ガイドピン
７                係合孔部
８                凸部
９ａ，９ｂ        弾性バネ部
１０              ハンドル部
１１ａ〜１１ｃ
１２ａ，１２ｂ    孔部
２１              当接面
４１ａ，４１ｂ    バネ取付面
【図１】
0003742006.tif 000002
【図２】
0003742006.tif 000003